Podtech/llm-jp-corpus-v4-ja_patent huggingface dataset:
(57)【要約】      （修正有）【課題】凝り、筋肉痛等の患部に直接貼らずに有効成分を患部に供給することができる下着に貼る湿布薬を提供する。【解決手段】伸縮可能な柔軟性を持った基体３の上側に粘着材２を塗り、基体３の下側には、凝りや筋肉痛に対する有効成分から成る薬剤層４を塗り、さらにその下に肌へのくっつきを防止し且つ有効成分の透過を保障するシート５を置く。前記４層を使用直前まで保護する上方剥離層１及び下方剥離層６ではさみ、全部で６層からなる構造体を作成する。この構造体を凝りや筋肉痛等の患部の近傍にある下着に前記粘着材２によって貼りつけ使用する。【選択図】図１
0003207132.tif 000002
【実用新案登録請求の範囲】
【請求項１】
伸縮可能な柔軟性を持った基体上側の表面に粘着材を塗り、さらに前記粘着材の上に使用する時剥がす上方剥離層を作成し、前記基体の下側には凝り、筋肉痛等の患部に対する有効成分を含有した薬剤層を有し、前記薬剤層の下側には、使用した時に患部に対して薬剤がくっつくのを防止し且つ、治療しようとする患部への有効成分の透過を保障する柔軟性のあるシートを置き、さらに前記柔軟性のあるシートの下側に使用時まで有効成分の揮発を抑える下方剥離層を有する構造体であり、患部近傍にある下着や包帯、コルセット等に前記粘着材で貼りつけて使用することを特徴とする下着に貼る湿布薬。
【考案の詳細な説明】
【技術分野】
【０００１】本考案は、下着に貼りつけて肌に密着させず薬効成分の揮発やマグネットの血流改善作用を利用する湿布薬に関するものである。
【背景技術】
【０００２】湿布薬は、患部の肌に貼りつけることで、薬効成分を患部に供給する機能を持った薬であり、パップ剤、テープ剤の種類があり、打撲傷、肩凝り、筋肉痛などに対する消炎鎮痛剤血流改善作用剤として広く利用されている。
【考案の概要】
【考案が解決しようとする課題】
【０００３】背中の真ん中等、自分の手の届かない場所の凝り、筋肉痛等の患部の近傍に、消炎鎮痛効果、血流改善効果のある湿布薬及びマグネットを置き、有効作用を患部に供給する。
【課題を解決するための手段】
【０００４】本考案は、消炎鎮痛効果がある有効成分をゴムシート等の薄く柔軟性のある基体の上側に薄く塗り、下側には粘着材を塗る。粘着材の付いた側を、肩凝り、筋肉痛等の患部近傍の下着が当たる場所に貼りつける。
【考案の効果】
【０００５】従来の湿布薬は、患部に直接貼るタイプであり、自分が手が届かない場所に貼る場合、人に貼ってもらうか、取り扱いの難しい専用の器具を使っていたが、患部近傍の下着に貼って有効成分の揮発を通して患部に有効成分を供給することで、一人暮らしの人にも簡単に取り扱えるようになる。【０００６】粘着材に対し皮膚が弱く被れやすい人にも有効的に使用できる。【０００７】体毛のある患部に貼る場合従来の湿布薬は、剥がす時に大変であったが、下着に貼る湿布薬だと体毛を気にせず使用できる。【０００８】貼付式マグネット治療用具なども有効成分と組み合わせて貼りつけより効能を高めることができる。
【図面の簡単な説明】
【０００９】
【図１】下着に貼る湿布薬の側断面図
【図２】図１に示す下着に貼る湿布薬の貼りつけ作業完了時を示す側断面図
【考案を実施するための形態】
【００１０】肩凝り等に対する治療用湿布剤くらいの大きさの布、ゴムシート、不織布等の伸縮可能な柔軟性を持った基体上側の表面に粘着材を塗り、さらに粘着材の上に貼りつける時に剥がす上方剥離層を有する。基体の下側には肩凝り筋肉痛等に対する有効成分を含有した薬剤層を有しさらに、薬剤層の下に患部への薬剤の粘着を防止し且つ、揮発性の有効成分の透過性を保障するシート面を形成し、その下に使用時まで揮発を抑える下方剥離層を有するもので全部で６層からなる構造体である。
【実施例】
【００１１】以下添付図に従って、一実施例を説明する。［図１］の１は下着に貼る湿布薬を下着等に貼る時に剥がす上方剥離層であり、２は、粘着材層、３は、伸縮可能な柔軟性を持った基体層であり、４は、凝り、筋肉痛等の患部に対する有効成分からなる薬剤層である。５は薬剤層が患部にくっつかない状態で且つ凝り、筋肉痛等に対する有効成分の透過性を保障するシートであり、６は、使用時まで有効成分の揮発を抑える下方剥離層である。【００１２】［図２］は［図１］の上下の剥離層を剥がし下着に貼る湿布薬を下着に貼った状態の側断面図である７は、下着であり、８は、患部の皮膚である。
【符号の説明】
【００１３】１  上方剥離層
２  粘着材層
３  基体層
４  薬剤層
５  有効成分透過シート
６  下方剥離層
７  下着
８  患部
【図１】
0003207132.tif 000003
【図２】
0003207132.tif 000004
(57)【要約】      （修正有）【課題】雨天時，感染症を予防すると共に雨水が侵入することを防止することができ，装着も取り外しも簡単に行われ，さらに，歩きやすく，ファッション性も豊かな外反母趾リハビリ用サンダルの防水及び防寒カバーを提供する。【解決手段】防水性，通気性を持つ，カバー本体１と面ファスナー４・５を取り付けた開閉部を外反母趾リハビリ用サンダル６のつま先部の底面２にカバーし，弾性体で保持する構造を有し，外反母趾用リハビリ用サンダル６の左右側面，及び背面の厚底部分をカバーするスカート３から成り，雨水を遮断し，フリーサイズのリハビリ用サンダルに対応する。【選択図】図３
0003207155.tif 000002
【実用新案登録請求の範囲】
【請求項１】
防水性，通気性を持つ，カバー本体と面ファスナーを取り付けた開閉部を外反母趾リハビリ用サンダルのつま先部の底面にカバーし，弾性体で保持する構造を有し，外反母趾用リハビリ用サンダル左右側面，及び背面の厚底部分をカバーするスカートから成り，雨水を遮断し，フリーサイズのリハビリ用サンダルに対応可とする特徴を持つ外反母趾リハビリ用サンダル用防水及び防寒カバー。                      
【考案の詳細な説明】
【技術分野】
【０００１】
この考案は、外反母趾手術後に使用する，医療向けリハビリ用サンダルの使用にて，主に雨天の際に手術後の傷口に雨水が入り込む事を防止すると共に傷口から細菌が侵入しない様に予防するカバーに関するものである。          
【背景技術】
【０００２】
外反母趾リハビリ用サンダルに特化したカバーは，存在しない。  
【先行技術文献】
【特許文献】
【０００３】
【特許文献１】登録実用新案広報（U）第３０３９４４８号公認
【考案の概要】
【考案が解決しようとする課題】
【０００４】
先行技術文献に示されるカバーでは、外反母趾リハビリ用サンダルに使用する際には，ムレる，足が腫れた場合に，柔軟性がなく，つま先部の固定が不十分のため雨風の条件での使用に適さない課題がある。
【課題を解決するための手段】
【０００５】
防水性，通気性を持つカバーと面ファスナーを取り付けた開閉部を外反母趾リハビリ用サンダルのつま先部の底面にカバーし，弾性体で保持する構造を有し，外反母趾リハビリ用サンダル左右側面及び，背面の厚底部分をカバーするスカートから成り，雨水を遮断し，フリーサイズのリハビリ用サンダルに対応可とする特徴を持つ外反母趾リハビリ用サンダル用防水及び防寒カバーを実現する。
【考案の効果】
【０００６】
外反母趾リハビリ用サンダルを履いたまま，つま先部底面２，及び２aを引っかけ係合するだけで，簡単に装着でき，折りたたんでもかさばらず，軽量であるために携帯にも便利で，また，安価に製造する事ができる。
さらに，カバー本体１を底面のない形成にしたため，歩きやすく，足も疲れず，活動的であり，底面がないので，使用中のムレや使用後の汚れ等も少なく，衛生的である。全体的にスマートで外観上も優れており，色・柄を様々に変化させることにより，雨の日の不快感を一新させ，楽しくさせることができる。
従って，いつでもどこでも使用できる，極めて簡便，快適，衛生的ばかりではなく，今後外反母趾や浮指で悩み苦しみ手術する方も増加の傾向が見込まれることから，少しでもお役に立てる今までにない外反母趾リハビリ用サンダルカバーを提供する。              
【図面の簡単な説明】
【０００７】
【図１】図１は本考案の側面視図である。
【図２】図２は本考案の底面視図である。
【図３】図３は本考案の使用中の図である。
【考案を実施するための形態】
【０００８】
本考案の実施の形態を図１〜図３に基いて説明する。防水性，通気性を持つカバー本体と面ファスナーを取り付けた開閉部を外反母趾リハビリ用サンダルのつま先部の底面にカバーし，弾性体で保持する構造を有し，外反母趾リハビリ用サンダル左右側面及び背面の
厚底部分をカバーするスカートから成り，雨水を遮断し，フリーサイズのリハビリ用サンダルに対応可とする特徴を持つ。                                                  
【実施例１】
【０００９】
以下，考案の実施例について説明する。
（イ）外反母趾リハビリ用サンダルカバー１は，左右開閉部４・５を設ける。          
（ロ）外反母趾リハビリ用サンダルカバー本体１，つま先部底面２・２aを設け，つま先に引っかけ装着する。                                                         
（ハ）面ファスナー４・５を取り付ける。                
本考案は，以上のような構造で，これを使用する時は，外反母趾リハビリサンダル６を履き，つま先部底２を引っかけるようにして，弾性体（ゴム）２ａにより強化し，外反母趾リハビリ用サンダルカバー本体１で足の甲を被覆し，左右面ファスナー４・５を足首全体に巻回する。            
そして，左右面ファスナー４・５をそれぞれ係合して外反母趾リハビリ用サンダルカバーを足部に固定する。
足首から甲，つま先，さらに踵まで，外反母趾リハビリ用サンダル６全体をカバー本体１で被覆するため，足元が濡れたり，外反母趾リハビリ用サンダル及び傷口に雨水が入り込んだりすることがない。
また，装着時は足全体を軽く面ファスナーで止め，つま先部底面２の引っかけ，さらに，弾性体（ゴム）により固定するため容易に外れたり，風などでめくれ上がったりしない。
さらに，外反母趾リハビリ用カバー本体１を，外反母趾リハビリ用サンダル全体をすっぽり包み込む袋状ではなく，底面のない形状にしたため，足部の運動は自由であり，歩きやすく，下方からの適度な通気により，ムレたりすることもない。
該外反母趾リハビリ用サンダルカバー本体１は，たとえばナイロンのような防水性を有した素材であれば何を用いてもよく，併せて撥水性，速乾性等も備えていれば，よりよい使用感が得られる。
また，厚手の布地を用いれば，防寒具ともなり，室内においても足元の冷え防止具としても利用できる。
さらに，色・柄等を変化させることにより，高級感や愛らしさなど，ファッション性も高まり様々なイメージを演出することができる。
また，一つのもので，両足用として使用可能なので，安価で便利である。
左右開閉部４・５は面ファスナーにより操作が簡単で，足首の太さの変化に対応するための調整可能な面ファスナーが望ましい。また，開閉部４・５への取り付け位置は，左右両足対応可であるため，幅を広く設けて取り付けるとよい。                    
【符号の説明】
【００１０】
１      カバー本体
２      つま先部底面
２a    （弾性体ゴム）                            
３      厚底スカート
４      面ファスナー        
５      面ファスナー
６      外反母趾リハビリ用サンダル
【図１】
0003207155.tif 000003
【図２】
0003207155.tif 000004
【図３】
0003207155.tif 000005
(57)【要約】      （修正有）【課題】冬季の乾燥期に身体に帯電した静電気が、他の物に手が触れた時放電（スパーク）する恐怖心と不快感を防止できる履物の構造を提供する。【解決手段】履物の底板３に金属伝導体２を貫通して、かかと部１に取り付けて身体に帯電した静電気を履物から地面に放電させる様にした。【選択図】図１
0003207219.tif 000002
【実用新案登録請求の範囲】
【請求項１】
冬季の乾燥期に人体に帯電する静電気をかかと部より地面に放電させる為、図面の［図１］［図２］に記した様に靴の底板に金属伝導体を貫通させて取り付ける事を考案した。
【請求項２】
冬季の乾燥期に人体に帯電する静電気をかかと部より地面に放電させる為、図面の［図３］［図４］に記した様に靴の側面に金属伝導体を貫通させて取り付ける事を考案した。
【請求項３】
冬季の乾燥期に人体に帯電する静電気をかかと部より地面に放電させる為、図面の［図５］［図６］に記した様に靴の内側から外側へと金属伝導体を取り付ける事を考案した。
【請求項４】
冬季の乾燥期に人体に帯電する静電気をかかと部より地面に放電させる為、図面の［図７］［図８］に記した様にサンダルの底板に金属伝導体を貫通させて取り付ける事を考案した。
【請求項５】
冬季の乾燥期に人体に帯電する静電気をかかと部より地面に放電させる為、図面の［図９］［図１０］に記した様にサンダルの底板に金属伝導体をバンド状に巻いて取り付ける事を考案した。
【請求項６】
冬季の乾燥期に人体に帯電する静電気を地面に放電させる為、すでに購入し使用している靴およびサンダルに図面［図１］から［図１０］に記した様に金属伝導体を取り付ける事を考案した。
【考案の詳細な説明】
【技術分野】
【０００１】本考案は、冬季の乾燥期に人体に帯電した静電気を履物に取り付けた金属伝導体に依り地面に放電させる様にしたものである。
【背景技術】
【０００２】従来は、特に人体に帯電する静電気の放電（スパーク）を嫌う特殊な工場、研究所、ガソリンスタンド等での勤務者が履く静電気除去安全靴は、有ったが一般の人が街中や事務所ビル内などで履くには、デザイン的にスマートでなく好まれなかった。
【考案の開示】
【考案が解決しようとする課題】
【０００３】冬季の乾燥期に扉のノブ、車のドアー、他人の身体などに触れた時、自分の身体に帯電した静電気が放電（スパーク）して（バシッ、ビリビリ）と大変な恐怖心と不快な思いをしていた。
【課題を解決するための手段】
【０００４】冬季の乾燥期に自分の身体に帯電した静電気を地面に放電させる為［図１］の様に靴の底板▲３▼に金属伝導体▲２▼を貫通させて、かかと部▲１▼に取り付ける様にした。【０００５】冬季の乾燥期に自分の身体に帯電した静電気を地面に放電させる為［図３］の様に靴の側面▲５▼に金属伝導体▲２▼を貫通させて、かかと部▲１▼へと取り付ける様にした。【０００６】冬季の乾燥期に自分の身体に帯電した静電気を地面に放電させる為［図５］の様に靴の内側▲６▼から外側へと金属伝導体▲２▼を取り付けて、かかと部▲１▼に取り付ける様にした。【０００７】冬季の乾燥期に自分の身体に帯電した静電気を地面に放電させる為［図７］の様にサンダルの底板▲３▼に金属伝導体▲２▼を貫通させて、取り付ける様にした。【０００８】冬季の乾燥期に自分の身体に帯電した静電気を地面に放電させる為［図９］の様にサンダルの底板▲３▼に金属伝導体▲２▼をバンド状に巻いて取り付ける様にした。
【考案の効果】
【０００９】冬季の乾燥期に人体に帯電した静電気を金属伝導体を取り付けた履物を履く事に依り、たえず地面に静電気を放電させて、自分が他の物にさわった時に放電（スパーク）する恐怖心、不快感から解放される。
【図面の簡単な説明】
【００１０】
【図１】靴の底板に金属伝導体を貫通させて、かかと部に取り付ける断面図である。
【図２】上図の外観底部見上げ斜視図である。
【図３】靴の側面に金属伝導体を貫通させて、かかと部へと取り付ける断面図である。
【図４】上図の外観底部見上げ斜視図である。
【図５】靴の内側から外側へと金属伝導体を取り付けて、かかと部に取り付ける断面図である。
【図６】上図の外観底部見上げ斜視図である。
【図７】サンダルの底板に金属伝導体を貫通させて、取り付ける断面図である。
【図８】上図の外観底部見上げ斜視図である。
【図９】サンダルの底板に金属伝導体をバンド状に巻いて取り付ける断面図である。
【図１０】上図の外観底部見上げ斜視図である。
【符号の説明】
【００１１】▲１▼  かかと部
▲２▼  金属伝導体
▲３▼  底板
▲４▼  金属伝導体丸型ヘッド
▲５▼  靴の側面
▲６▼  靴の内側
【図１】
0003207219.tif 000003
【図２】
0003207219.tif 000004
【図３】
0003207219.tif 000005
【図４】
0003207219.tif 000006
【図５】
0003207219.tif 000007
【図６】
0003207219.tif 000008
【図７】
0003207219.tif 000009
【図８】
0003207219.tif 000010
【図９】
0003207219.tif 000011
【図１０】
0003207219.tif 000012
【手続補正書】
【提出日】平成28年8月4日(2016.8.4)
【手続補正１】
【補正対象書類名】実用新案登録請求の範囲
【補正対象項目名】全文
【補正方法】変更
【補正の内容】
【実用新案登録請求の範囲】
【請求項１】
人体に帯電する静電気をかかと部より地面に放電させる為の靴の構造であって、靴の底板に金属伝導体を貫通させ当該金属伝導体をかかと部に取り付けた事を特徴とする靴の構造。
【請求項２】
人体に帯電する静電気をかかと部より地面に放電させる為の靴の構造であって、靴の内側面より外側面に金属伝導体を貫通させ当該金属伝導体を、靴の外側面から靴底を経由してかかと部に取り付けた事を特徴とする靴の構造。
【請求項３】
人体に帯電する静電気をかかと部より地面に放電させる為の靴の構造であって、靴の内側に金属伝導体を取り付け当該金属伝導体を、靴底の内側面から貼り上げ靴の外側面を貼り下げ廻し靴底を経由してかかと部に取り付けた事を特徴とする靴の構造。
【請求項４】
人体に帯電する静電気をサンダルの底板より地面に放電させる為のサンダルの構造であって、サンダルの底板に金属伝導体を貫通させ当該金属伝導体をサンダルの底板に取り付けた事を特徴とするサンダルの構造。
【請求項５】
人体に帯電する静電気をサンダルの底板より地面に放電させる為のサンダルの構造であって、サンダルの表面から裏面まで金属伝導体をバンド状に巻いて取り付けた事を特徴とするサンダルの構造。
(57)【要約】      （修正有）【課題】部品点数を削減するとともに、使用時に瓶や缶等を衛生的に保持することができる瓶・缶ホルダー付テーブルを提供する。【解決手段】天板１、２の穴をフレーム３、４凹部の上側に配置する構成により、天板１、２の穴が瓶または缶の側面を支え、フレーム凹部が瓶または缶の底を支えることにより、瓶または缶を保持する。このようにすることで瓶や缶等が直接地面に触れることを防ぐ。また、テーブルを構成するフレームを使用することで部品点数を削減する。【選択図】図１
0003207216.tif 000002
【実用新案登録請求の範囲】
【請求項１】
天板の穴と構成するフレームで瓶または缶を保持することを特徴としたテーブル。
【考案の詳細な説明】
【技術分野】
【０００１】本考案は、瓶・缶ホルダーを設けた、テーブルに関するものである。
【背景技術】
【０００２】従来の瓶・缶ホルダー付テーブルは瓶や缶等をネット、若しくは直接地面で受けるものであった。
【考案の概要】
【考案が解決しようとする課題】
【０００３】瓶・缶ホルダー付テーブルは屋外で使用されることが多く、持ち運びのため小型軽量のものが好まれる。そのため、瓶や缶等の底を網や直接地面で受ける構造となったものが多く、構成部品の増加や衛生的でないといった欠点があった。
【課題を解決するための手段】
【０００４】本考案は、天板に瓶や缶等を挿入させる穴を設ける。その穴は瓶や缶の直径よりも大きいものとし、その底部にテーブルのフレームを設ける。瓶や缶がフレーム上に置かれることにより、瓶や缶が直接地面に触れることがなく、またテーブルを構成するフレームを受けに使用することで部品点数を削減させ問題を解決している。
【考案の効果】
【０００５】上述の様に本考案の瓶・缶ホルダー付テーブルは、テーブルを構成するフレーム自体を瓶や缶等の受けに使用することで、部品点数の削減及び瓶や缶等を衛生的に置くことに役立つ。
【図面の簡単な説明】
【０００６】
【図１】本考案の瓶・缶ホルダー付テーブルの斜視図である。
【図２】本テーブルの平面図である。
【図３】本テーブルの断面図である。
【考案を実施するための形態】
【０００７】テーブルの天板が水平になるように、平らな場所にテーブルを設置する。そのとき、カップを受けるフレームがテーブル設置面に接するように設置する。
【実施例】
【０００８】以下、添付図面に従って実施例を説明する。１、２は瓶や缶等を側面から保持するための穴を設けた天板、３、４は瓶や缶等を底面を受けるフレーム、５、６は瓶や缶等をを受けるためのテーブル脚を兼ねたフレームで、１、２の天板に設けた穴にカップを挿入し、穴の縁でカップを支え、３、４、５、６のフレームでカップや瓶等を受ける。
【符号の説明】
【０００９】  １  天板
２  天板
３  フレーム
４  フレーム
５  テーブル脚を兼ねたフレーム
６  テーブル脚を兼ねたフレーム
【図１】
0003207216.tif 000003
【図２】
0003207216.tif 000004
【図３】
0003207216.tif 000005
【手続補正書】
【提出日】平成28年8月3日(2016.8.3)
【手続補正１】
【補正対象書類名】実用新案登録請求の範囲
【補正対象項目名】全文
【補正方法】変更
【補正の内容】
【実用新案登録請求の範囲】
【請求項１】
天板の穴をフレーム凹部の上側に配置する構成により、天板の穴が瓶または缶の側面を支え、フレーム凹部が瓶または缶の底を支えることにより、瓶または缶を保持することを特徴としたテーブル。
(57)【要約】      （修正有）【課題】シャベルの一方を、くま手にして一体化してつないであるため持ちかえるだけで使いたい方を使える便利シャベルを提供する。本考案は、ガーディニングのちよっとした庭仕事に提供する。【解決手段】シャベル本体１の柄４の一方にスコップ２を取付け、他方にくま手３を取り付けた。【選択図】図１
0003207231.tif 000002
【実用新案登録請求の範囲】
【請求項１】
シャベル本体（１）の柄（４）の一方にスコップ（２）を取り付け、他方にくま手（３）を取り付けた便利シャベル。
【考案の詳細な説明】
【技術分野】
【０００１】この考案はガーディニング等庭仕事やはち植えに、土を耕すミニ園芸用具のシャベルに関するものである。
【背景技術】
【０００２】従来、シャベルとくま手は別々に用意して使ってた。
【先行技術文献】
【特許文献】
【０００３】
【特許文献１】特開２００９−２７９７４３公報
【特許文献２】実用新案登録第３１１２６９２号公報
【考案の概要】
【考案が解決しようとする課題】
【０００４】これは次のような欠点があった。
従来、ガーディニングで土を耕すのもシャベルとくま手を２本用意して使うしかなかった。本発明は以上の問題点を解決するために、なされたものである。
【課題を解決するための手段】
【０００５】シャベル本体（１）の柄（４）の一方にスコップ（２）を取り付け、他方にくま手（３）を取り付け。
スコップ（２）とくま手（３）は柄（４）の夫々の両端に固定されてる便利シャベル。
【考案の効果】
【０００６】スコップとくま手の一体化したものは片手で持てるので老若男女使うことができる。
持ちかえればいいだけで必要に応じて使い分ける。重いものでなく、体重をかけて持つ物でない。単純こそ一番である。片手で持てる。
当シャベルは、引き抜いたり、さしこんだりしなくてよい。
一体化したものである。
【図面の簡単な説明】
【０００７】
【図１】本考案の平面図
【考案を実施するための形態】
【０００８】以下、本考案の実施の形態について説明する。
シャベル本体（１）の柄（４）の一方にスコップ（２）を取り付け、他方にくま手（３）を取り付け。
スコップ（２）とくま手（３）は柄（４）の夫々の両端に固定されている。
本考案は以上のような構造である。
本考案を使用するときはシャベル本体（１）の柄（４）を片手で持ち、土を堀るときはスコップ（２）で行い、耕す土をかく時はくま手（３）で行うが、瞬時に柄（４）を持ちかえることにより、作業が途切れることはなく行うことが出来る。
【符号の説明】
【０００９】１  シャベル本体
２  スコップ
３  くま手
４  柄
【図１】
0003207231.tif 000003
(57)【要約】      （修正有）【課題】ロールペーパー先端を簡単に摘み出し、簡単にカットできるトイレットペーパーホルダーを提供する。【解決手段】トイレットペーパーホルダー１の下位にロールペーパー２の先端を通す貫通スリット３を設け、そのスリットより常に摘み出しに必要な寸法のペーパー先端が引き出されて下がっており、スリット前方に設けたカッター４により指先２本で簡単にカット出来ることを特徴とする。【選択図】図２
0003207224.tif 000002
【実用新案登録請求の範囲】
【請求項１】
トイレットペーパーホルダー下位にロールペーパー先端を通す貫通スリットを設け、そのスリットより前回使用者が使用後は常に摘み出しに必要なペーパー先端が下がっておりその先端を摘み必要寸法を引き出しスリット前方に設けたカッターにより指先２本で簡単にカット出来ることを特徴とするトイレットペーパー簡単摘み出し及び簡単カット機能。
【考案の詳細な説明】
【技術の分野】
【０００１】本考案はロールペーパー先端を簡単に摘み出すことが出来る構造をもち且つトイレットペーパーを簡単にカットできる構造をもつトイレットペーパーホルダーである。
【背景技術】
【０００２】  従来のペーパーホルダーでは前者が使用後ペーパー先端がロール状のペーパーに密着しており非常に摘まみ出しにくい状態にある。
【先行技術文献】
【特許文献】
【００３】
【特許文献１】  特開２００６−３３４７４７
【非特許文献】
【０００４】
【特許文献】  実開平５−４９９０
【考案が解決しようとする課題】
【０００５】  上述のトイレットペーパーホルダーではペーパー先端摘み出し動作が一般人でもとても面倒であったが高齢者及び子供にも簡単に使用出来るべく解決しようとするものである。
【考案を解決するための手段】
【０００６】  本考案のトイレットペーパーホルダーではホルダー下位にペーパー貫通スリットを設け常に前者が使用後自動的にペーパー先端が摘み出しに必要なだけが垂れ下がる構造となっておりその先端を摘み引きながら必要寸法をスリット前方に設けたカッターで片手で簡単にカットすることが出来る構造とする。
【考案の効果】
【０００７】上述の様に本考案のペーパーカッターは前回カット動作後は常にペーパー先端を摘むに必要なだけ先端がスリットを通り下がっており摘まみだしやすく且つロールペーパーを必要寸法を片手で簡単にカットすることが出来る。
【図面の簡単な説明】
【０００８】
【図１】本考案の常時の斜視図である。
【図２】ロールペーパーカット時の斜視図である。
【考案を実施する為の形態】
【０００９】  当該カッターはロールペーパーホルダーの下位に設けペーパー貫通スリットより前回使用後摘み出しに必要な長さのペーパー先端が下がっておりそれを摘んで必要な長さを引き出しスリット前部に設けた鋸歯状のカッターでカットすることする。
そしてペーパーをカット後はペーパーは貫通すスリットとカッターまでの長さ分が自動的に下部に垂れ下がり次回使用時の摘み出し部分となる。
【実施例】
【００１０】  以下、添付図面に従って実施例を説明する。１は硬質プラスチック等錆びにくい金属（ステンレス等）で組成されるペーパーホルダー、２はロールペーパー、３はロールペーパー貫通スリット、４はペーパーカットアーム先端に設けられた鋸歯状のペーパーカッター。【００１１】  上述のトイレットペーパーホルダーではペーパー摘み出しから必要な長さのカットまで簡単にできる。【００１２】  本考案の実施例は上述の如き構成からなるものである、ロールペーパー先端はペーパーは貫通スリットを下方に通りペーパーカット後はスリットからカッターまでの長さ分が常時垂れ下がりその垂れ下がり部分が摘み出し部分となり必要寸法を引き出しかっとする
【符号の説明】
【００１１３】１  トイレットペーパーホルダー
２  ロールペーパー
３  ペーパー通しスリット
４  ペーパーカッター
【図１】
0003207224.tif 000003
【図２】
0003207224.tif 000004
【手続補正書】
【提出日】平成28年8月1日(2016.8.1)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーホルダー下位にロールペーパー先端を通す貫通スリットを設け、そのスリットより前回使用者が使用後は常に摘み出しに必要なペーパー先端が下がっておりその先端を摘み必要寸法を引き出しスリット前方に設けたカッターにより指先２本で簡単にカット出来ることを特徴とするトイレットペーパー簡単摘み出し及び簡単カット機能を有するトイレットペーパーホルダー。
(57)【要約】      （修正有）【課題】鈴の機能を電子的に実現すると共に、商品の機能が直観的に分かりやすくなる電子鈴デバイスを提供する。【解決手段】加速度センサ１０２及び発音デバイス１０３を含む電子回路１０４と、電子回路１０４を収容する鈴調の外観をした筐体１０１で構成される。【選択図】図１
0003207258.tif 000002
【実用新案登録請求の範囲】
【請求項１】
加速度センサ及び発音デバイスを含む電子回路と、前記電子回路を収容する鈴調の外観をした筐体で構成される電子鈴デバイス。
【考案の詳細な説明】
【技術分野】
【０００１】
本考案は、動きを検出し音を発生させるための鈴を、電子的に実現する電子鈴デバイスの筐体のデザインに関するものである。
【背景技術】
【０００２】
鈴は、土器や金属、陶器などでできた中空の外身の中に小さな玉が入っており、全体を振り動かすことで音を発生させる。
【０００３】
鈴の外身を中心として考えると、鈴が振り動かされることで、鈴の中の玉には慣性力が働く。この慣性力が小さい場合、玉が外身の中を転がることで、鈴の音が発生する。慣性力が大きくなると、玉が飛び跳ねるため、鈴の音は大きくなる。
【０００４】
鈴の用途としては、猫の首輪につけて、猫の所在を知らせたり、キーホルダにつけることで、鍵が鞄から落下したことを知らせたりするなど、動きを検出するために用いることが多い。
【０００５】
しかしながら、鈴の音の発生は、鈴を振り動かすときの機械的な作用に依存しており、音が発生するための加速度の敷居値などの条件と、発生する音の大きさや長さなどを分離して制御するのが困難である。このため、鈴を落下検出用として使用した場合は、音が一瞬しか発生しないため、落下に気が付かないことがあったり、少し動くだけで音が発生するため、騒音になったりすることもある。また、鈴は厚みをＩＣカードのように薄くするの困難であるため、財布には入らないことが多い。
【０００６】
この改善策として、動きの検出として加速度センサを用い、スピーカやサウンダなどの発音デバイスで音を発生させることで、鈴の機能を電子的に実現した電子鈴デバイスが発明されているが（特願２０１６−０９４９５４（未公開））、斬新な商品であるため、商品の機能が直観的に分かりにくいという問題点がある。
【先行技術文献】
【特許文献】
【０００７】
【特許文献１】特開２００２−１６０４９６号公報
【考案の概要】
【考案が解決しようとする課題】
【０００８】
鈴の機能を電子的に実現した電子鈴デバイスの商品の機能が直観的に分かりやすくなるようにする。
【課題を解決するための手段】
【０００９】
本考案は、加速度センサと発音デバイスを含む電子回路を備えた電子鈴デバイスを、鈴調の外観をした筐体に収容する。発音デバイスとしては、スピーカやサウンダなどを用いる。
【考案の効果】
【００１０】
鈴調の外観をした筐体に収容することで、電子鈴デバイスの商品の機能が直観的に分かりやすくなる。
【図面の簡単な説明】
【００１１】
【図１】図１は電子鈴デバイスの実施方法を示した説明図である。（第１の実施形態）
【考案を実施するための形態】
【００１２】
以下、添付図面を参照して、本考案装置の実施形態を説明する。
【００１３】
［第１の実施形態］
図１は、  本考案装置の１実施例の電子鈴デバイスであって、加速度センサ１０２及び発音デバイス１０３を含む電子回路１０４と、それを収容する鈴調の外観をした筐体１０１で構成される。
【００１４】
加速度センサ１０２及び発音デバイス１０３を含む電子回路１０４は、動きを検出し音を発生させるための鈴の機能を電子的に実現するために用いる。その機能が直観的に分かりやすくなるようにするために、鈴調の外観をした筐体１０１に収容する。
【産業上の利用可能性】
【００１５】
本考案の電子鈴デバイスは、キーホルダーの鈴、猫の首輪の鈴、風鈴など、一般的な鈴の代替として利用できる。
【符号の説明】
【００１６】
１０１    鈴調の外観をした筐体
１０２    加速度センサ
１０３    発音デバイス
１０４    加速度センサ及び発音デバイスを含む電子回路
【図１】
0003207258.tif 000003
(57)【要約】      （修正有）【課題】自転車又はバイク利用者にミラーを装着する意欲を喚起するデザインに特化した自転車又はバイク用バックミラーを提供する。【解決手段】自転車のハンドル６部分に自転車用バックミラーを設置し、バックミラー背面１に人、人の顔、動物、キャラクター、紀章などをデザインする。【選択図】図１
0003207252.tif 000002
【実用新案登録請求の範囲】
【請求項１】
自転車又はバイクのハンドルに装着するバックミラーにおいて，ミラー背面にキャラクター、人、人の顔、動物、乗り物、紀章などをデザインして自転車又はバイク利用者にミラーを装着する意欲を喚起するデザインに特化した自転車又はバイク用バックミラー。
【考案の詳細な説明】
【技術分野】
【０００１】本考案は自転車、バイク等の後方確認用ミラーに関する。
【背景技術】
【０００２】従来、自転車又はバイク用バックミラーはデザイン性に乏しく、車道を走るのに必要なアクセサリーにも関わらず浸透しなかった。【０００３】基本車道を使用する自転車は、特に後方から追い越す自動車をを視認しにくく、事故に遭いやすくバックミラーは必要不可欠な存在である。
【考案の概要】
【考案が解決しようとする課題】
【０００４】本考案は、現状では殆ど装着されていないバックミラーを自転車のハンドルに装着し、交通事故の減少、安全な後方確認を確保する必要がある。
【課題を解決するための手段】
【０００５】自転車用バックミラーを広めるため、人気のキャラクターや動物や人の顔、紀章などをデザインした自転車用バックミラーを世間に定着させる。
【考案の効果】
【０００６】請求項１記載の本考案に係る自転車用バックミラーは、ハンドル部分に装着しうるように形成されたことから、自転車が走行したときに、容易に後方を視認されるので、視認性が広く、安全性が頗る良好である。
従って、自転車のドライバーが後方を確実に視認できるので、自動車との接触事故などを減少させることができる。
その自転車用バックミラーをデザイン性を付与し、ユーモアあふれることでを世間に自転車用バックミラーを広く浸透させることができる。
【図面の簡単な説明】
【０００７】
【図１】自転車又はバイク用バックミラーを自転車ハンドル部分に装着した背面図。
【図２】自転車又はバイク用バックミラーを自転車ハンドル部分に装着した鏡面図。
【図３】バックミラー背面のデザイン例。
【考案を実施するための形態】
【０００８】本発明は、まず、自転車、バイク等に取り付けた時、人気キャラクターや動物、紀章などをデザインして構成したものであり、若者を始め自転車利用者にミラーを装着する意欲を喚起させ、安全性を確保するという作用を有する。
【０００９】またその形態は、人形型、動物、キャラクターなどの外観を表し、従来のものに比べ、より装飾的要素を有するものである。
【００１０】例えばキャラクター、動物、紀章又はそれに類似する形態を持つ本製品を、プラスチックで成形し、本製品のミラー背面には蛍光塗料を塗布するか発光体、反射板等を用いることができ、夜間走行時に対向車に感知させるようにもできる。
【実施例】
【００１１】以下、添付図面に従って一実施例を説明する。１は布を除くプラスチック、アルミ材、金属材、合成樹脂等適宜素材にて形成された自転車用バックミラー本体である。
１は自転車のハンドルに取り付け、全体をキャラクター、動物、紀章、人物、又はそれに類似するデザインに併せ蛍光塗料を塗布するか発光体、反射板、電球等を用いることもでき、夜間走行時に対向車に感知させることも可能とする自転車用バックミラーとする。５はバックミラー取付け部分となりプラスチック、合成樹脂、金属類等をネジ等の固定具を用いて６のハンドルグリップ部分に固定するようにする。
【符号の説明】
【００１２】１自転車用バックミラー背面
２蛍光物質など
３光反射板など
４支持棒
５取付部
６ハンドル
７ハンドルグリップ部
８自転車用バックミラー（鏡面）
【図１】
0003207252.tif 000003
【図２】
0003207252.tif 000004
【図３】
0003207252.tif 000005
(57)【要約】      （修正有）【課題】優美な外観を維持ししつ加熱される内容物のくっつきを防止して、提供できる料理の種類や具材の多様化をはかることができる紙鍋を提供する。【解決手段】紙製の内面層１５と外面層１６の間に合成樹脂フィルムからなる中間層１７を有する平らな基材シートを熱成形して形作る紙鍋１１において、内容物が接する内面層１５を構成する紙にシリコーン樹脂などの離型剤を含浸させて、内面層１５の表面張力の低減をはかり、摩擦抵抗を小さくする。【選択図】図１
0003207255.tif 000002
【実用新案登録請求の範囲】
【請求項１】
内面に、紙に離型剤を含浸させた離型剤含浸層を備えた
紙鍋。
【請求項２】
紙製の内面層と外面層の間に合成樹脂フィルムを有する紙鍋であって、
前記内面層を構成する紙に離型剤が含浸された
紙鍋。
【請求項３】
紙製の内面層と外面層の間に合成樹脂フィルムを有する平らな基材シートを熱成形して形作る紙鍋であって、
前記内面層を構成する紙に離型剤が含浸された
紙鍋。
【請求項４】
前記離型剤がシリコーン樹脂である
請求項１から請求項３のうちいずれか一項に記載の紙鍋。
【請求項５】
前記離型剤がフッ素樹脂である
請求項１から請求項３のうちいずれか一項に記載の紙鍋。
【考案の詳細な説明】
【技術分野】
【０００１】
この考案は、紙で形成された紙鍋に関し、より詳しくは料理の幅を広げられるような紙鍋に関する。
【背景技術】
【０００２】
紙鍋はその特有の優美な外観により料理を際立たせて独特の雰囲気を醸し出すものであって、古くから利用されてきた。
【０００３】
しかし、紙鍋はどんな鍋料理にでも使えるわけではなかった。例えば餅やうどんなどの具材は加熱中に紙鍋の底にくっつきやすく、紙鍋が焦げることがある。豆乳鍋などのように流動性が低く塊ができる料理も紙鍋が焦げるおそれがあるので、紙鍋には不向きであった。また、豆腐を具材とする場合には、豆腐が鍋底にくっつかないように豆腐の下に野菜を敷くなどの工夫が必要であった。
【０００４】
下記特許文献１には耐水耐油耐熱性のシートで構成する紙鍋が開示されている。この紙鍋を構成するシートは、厚紙の表面に耐水耐油性のバリヤ層を設けて、このバリヤ層の表面にシリコーン樹脂塗工層を設けたものであり、紙鍋はシリコーン樹脂塗工層を内側にして折り曲げて箱状に形成されている。
【０００５】
しかし、シリコーン樹脂塗工層は表面に形成された皮膜であり、この皮膜が内面にあると紙鍋らしい外観は得られない。
【先行技術文献】
【特許文献】
【０００６】
【特許文献１】実開昭５９−７５２１６号公報
【考案の概要】
【考案が解決しようとする課題】
【０００７】
この考案は、紙鍋特有の外観を維持ししつ食材のくっつきを防止して、提供できる料理の幅を広げることができるようにすることを主な目的とする。
【課題を解決するための手段】
【０００８】
そのための手段は、内面を構成する紙に離型剤を含浸させることである。離型剤としては、シリコーン樹脂やフッ素樹脂が使用できる。
【０００９】
この構成では、内面の紙に浸み込んだ離型剤が内容物（食材）とのくっつきを防止する。
【考案の効果】
【００１０】
この考案によれば、紙鍋の優美な外観を維持ししつ食材のくっつきを防止するので、これまで紙鍋では提供できなかった料理を提供することができるようになる。
【図面の簡単な説明】
【００１１】
【図１】紙鍋の要部と作用を示す断面図。
【図２】紙鍋の斜視図。
【図３】比較例を示す断面図。
【考案を実施するための形態】
【００１２】
この考案を実施するための一形態を、以下図面を用いて説明する。  
この考案の紙鍋１１は、加熱中に具材などがくっつくのを防止できるようにしたものである。図１に紙鍋１１の要部と作用を、図２に紙鍋１１の外観を示している。
【００１３】
図２に示したように紙鍋１１は、正方形に裁断された基材をプレスにより熱成形して製造されるものである。紙鍋１１の形状は、中央部に円形の底面部１２を有し、この底面部１２の全周に斜め上に立ち上がる周壁部１３を有するものである。周壁部１３は底面部１２の中心点を中心に放射状に延びる山折り線部１３ａと谷折り線部１３ｂを交互に有する。
【００１４】
紙鍋１１は、金属製のホルダ２１を介在させてコンロ２２の上にのせて使用される。
【００１５】
紙鍋１１を構成する基材は、図１に示したように３層構造である。つまり基材は内面層１５と外面層１６の間に中間層１７を有し、内面を構成する内面層１５が内容物に接する側である。内面層１５と外面層１６は適宜の紙で構成され、中間層１７は合成樹脂フィルムで構成される。この合成樹脂製フィルムには耐熱性と耐水性を有し成形性も良い樹脂、たとえばポリプロピレンが使用される。
【００１６】
紙と合成樹脂フィルムはラミネートにより接合一体化され、内面層１５となる側の紙に、液状の離型剤を塗布して含浸させ乾燥したのち、所定の大きさに裁断すると基材になる。内面層１５が紙に離型剤を含浸させた離型剤含浸層である。
【００１７】
離型剤にはシリコーン樹脂やフッ素樹脂を使用できる。いずれも耐熱性に優れ、化学的にも不活性であるので、熱成形は良好に行え、所望の形状と外観が得られる。
【００１８】
このような構成の紙鍋１１は、図１に示したように、汁（液体３１）や具材３２などの内容物を入れて火にかけると、燃えることなく内容物を加熱させる。紙鍋１１の内面層１５は表面張力が低く摩擦抵抗が低いので、対流する液体３１は内面層１５上を円滑に移動し、液体３１に沈む具材３２も適宜向きを変えたり移動したりする。餅やうどん、豆腐などのようにくっつきやすいとされる具材３１であっても、内面層１５がくっつくのを防止する。また豆乳などのように表面に膜３３ができたり固まったりする液体であっても、内面層１５がくっつきを防止する。このため液体３１は内面層１５に行き渡る。
【００１９】
内面層１５の表面張力が低くない場合には、図３に示したように、具材３２や膜３３などが紙鍋１０１の内面１０２にくっついて、液体３１が行き渡らずに、くっついた部分に焦げ１０３が生じることになる。
【００２０】
しかし、この考案の紙鍋１１では、前述のように液体３１が内面層１５上に行き渡るので、焦げ付きが発生することはない。このため、餅やうどんを具材とする料理はもちろん、豆乳鍋や牛すき鍋などの料理も提供できる。チーズフォンデュのような紙鍋としては斬新な料理も可能である。また、料理に提供に際して、焦げ付きを防止するための具材配置をする必要がないので、見た目を重視して美しく料理の提供ができる。
【００２１】
そのうえ、紙鍋の内面に塗工層を形成する場合と異なり、紙の外観を維持できる。このため、優美な紙鍋の特質を減殺することなく、料理を映えさせることができる。
【００２２】
紙鍋は前述のような形状に限定されることはなく、その他の形状であってもよく、熱成形以外の折り曲げ等で形成してもよい。
【符号の説明】
【００２３】
１１…紙鍋
１５…内面層
１６…外面層
１７…中間層
【図１】
0003207255.tif 000003
【図２】
0003207255.tif 000004
【図３】
0003207255.tif 000005
(57)【要約】【課題】  屋内外の装飾に使用されるイルミネーション装置に関し、ＬＥＤ発光することで花火を連想させ、収納時にはコンパクトに折りたたむ事が出来る電飾花火を提供する。【解決手段】  屋内外の装飾に使用されるイルミネーション装置であって、複数の異なる大きさの円形枠状のフレーム１と、ＬＥＤ２と、電線３とから成り、該複数の異なる大きさの円形枠状のフレーム１を円が幾重にも重なるように配置するとともに、無数の該ＬＥＤ２を接続した該電線３を打ち上げ花火を連想する形状に配線して組み付け一体に形成し、さらには、該複数の異なる大きさの円形枠状のフレーム１はそれぞれが円周分割可能であって、収納時にコンパクトに折りたたむ事が出来る電飾花火とした。【選択図】図１
0003207251.tif 000002
【実用新案登録請求の範囲】
【請求項１】
屋内外の装飾に使用されるイルミネーション装置であって、複数の異なる大きさの円形枠状のフレームと、ＬＥＤと、電線とから成り、該複数の異なる大きさの円形枠状のフレームを円が幾重にも重なるように配置するとともに、無数の該ＬＥＤを接続した該電線を打ち上げ花火を連想する形状に配線して組み付け一体に形成し、さらには、該複数の異なる大きさの円形枠状のフレームはそれぞれが円周分割可能であって、収納時にコンパクトに折りたたむ事が出来ることを特徴とする電飾花火。
【考案の詳細な説明】
【技術分野】
【０００１】  本考案は、屋内外の装飾に使用されるイルミネーション装置に関する。
【背景技術】
【０００２】  従来より、屋内外の装飾に様々なイルミネーション装置が提案されている。ＬＥＤを用いた方法もその一つで、電力消費が少ないことで、現在、広く一般に普及している。【０００３】  しかしながら、特に、打ち上げ花火を連想させるイルミネーション装置において、安価で容易に設置・撤去が可能であり、しかも収納時にコンパクトに折りたためるとした特徴を提案するものはなかった。
【考案の概要】
【考案が解決しようとする課題】
【０００４】  本考案は、屋内外の装飾に使用されるイルミネーション装置に関し、ＬＥＤ発光することで花火を連想させ、収納時にはコンパクトに折りたたむ事が出来る電飾花火を提供しようとするものである。
【課題を解決するための手段】
【０００５】  屋内外の装飾に使用されるイルミネーション装置であって、複数の異なる大きさの円形枠状のフレーム１と、ＬＥＤ２と、電線３とから成り、該複数の異なる大きさの円形枠状のフレーム１を円が幾重にも重なるように配置するとともに、無数の該ＬＥＤ２を接続した該電線３を打ち上げ花火を連想する形状に配線して組み付け一体に形成し、さらには、該複数の異なる大きさの円形枠状のフレーム１はそれぞれが円周分割可能であって、収納時にコンパクトに折りたたむ事が出来る電飾花火とした。
【考案の効果】
【０００６】  本考案によれば、該電飾花火の構造がいたって単純であることから、拡張性にすぐれ、例えば、ＬＥＤ発光の自動プログラム装置を接続したり、音響装置と連動するなどして、打ち上げ花火の疑似表現をより効果的に演出することが可能である。【０００７】また、該電飾花火の本体フレームが円周分割可能であることから、収納時にコンパクトに折りたたむ事ができ、持ち運びも容易である。【０００８】また、該電飾花火は構造がシンプルであることから、屋内外を問わず様々な場所に設置が可能であり、効率的なイルミネーション効果が期待できる。
【図面の簡単な説明】
【０００９】
【図１】  本考案に於ける電飾花火の正面図である。
【図２】  本考案に於ける電飾花火の構成の説明図である。
【図３】  本考案に於ける電飾花火のフレームの円周分割構造の説明図である。
【図４】  本考案に於ける電飾花火の折りたたんだ状態の説明図である。
【考案を実施するための形態】
【００１０】  以下、本考案の実施の形態について、図面を参照して説明する。
図１・図２・図３・図４に示すように、屋内外の装飾に使用されるイルミネーション装置であって、複数の異なる大きさの円形枠状のフレーム１と、ＬＥＤ２と、電線３とから成り、該複数の異なる大きさの円形枠状のフレーム１を円が幾重にも重なるように配置するとともに、無数の該ＬＥＤ２を接続した該電線３を打ち上げ花火を連想する形状に配線して組み付け一体に形成し、さらには、該複数の異なる大きさの円形枠状のフレーム１はそれぞれが円周分割可能であって、収納時にコンパクトに折りたたむ事が出来る電飾花火とした。
【符号の説明】
【００１１】１    複数の異なる大きさの円形枠状のフレーム
２    ＬＥＤ
３    電線
【図１】
0003207251.tif 000003
【図２】
0003207251.tif 000004
【図３】
0003207251.tif 000005
【図４】
0003207251.tif 000006
(57)【要約】      （修正有）【課題】肩の疾患問題の解消、予防、安眠を目的とする枕一体マットレスを提供する。【解決手段】マットレスと枕５を一体にした枕一体マットレスは、両肩にあたる位置に空洞凹部２を設け、肩を下にして寝る際の肩への圧迫を解消する。【選択図】図１
0003207242.tif 000002
【実用新案登録請求の範囲】
【請求項１】
マットレス頭部側の肩が位置する部分のマット材を凹状に空洞にすることで肩を下にして寝る際に肩が凹状部分に入り込み肩への圧迫を解消することを特徴とする枕一体マットレス。
【考案の詳細な説明】
【技術分野】
【０００１】  本考案は、寝具であるマットレスの両肩部分の位置に凹みを設けたマットレス一と枕を一体にした寝具に関するものである。
【技術背景】
【０００２】  マットレスは通常単一のウレタンやスプリング等などの全体が単一の硬さの素材で作られていたため肩にかかる圧迫があり肩をいためることがあった。
【先行技術文献】
【特許文献】
【０００３】
【特許文献１】  特開２０１５−２１１７０３
【考案の概要】
【０００４】
【考案が解決しようとする課題】
【０００５】  寝床の上で肩を下にして寝る際どうしても人の肩は動物とは違い鎖骨があるため肩幅があり同じ硬さ、同じ厚みでつくられた寝床では肩を下にする寝方においては中高年の硬くなった関節や加えて年齢的に寝返りをうつ回数も減っているため肩を痛めることがあった。
【課題を解決するための手段】
【０００６】  本考案は、通常布団の下に敷くマットレスの両肩の位地にあたる部分の材質を抜き空洞にすることにより肩を下にして寝る際、肩に掛かる圧迫を無くすことにより問題を解決している
【考案の効果】
【０００７】  上述の様に、本考案の枕一体プロテクトショルダーマットレスは両肩関節の部分を凹まし空洞にすることで肩を下にして寝る際にも肩に圧力の掛からない構造になっているため四十肩や腱板断裂などのさまざまな肩疾患の予防や問題を解決することに役立つ。
【図面の簡単な説明】
【０００８】
【図１】本考案の枕一体プロテクトショルダーマットレスの実施例を示す横上斜めの図である。
【図２】本考案の枕一体プロテクトショルダーマットレスの実施例を示す真横からの図である。
【考案を実施するための形態】
【０００９】  折り畳み式のカバー材で覆われたクッション材により構成された枕一体プロテクトショルダーマットレス本体は折り曲げ部分を持ち、広げて寝る際、両肩の位置にあたる部分の凹部に肩が入ることにより肩に掛かる圧迫を逃し軽減することができる。他の部分は全て硬質クッション材質となる。
【００１０】  以下添付図面に従って一実施例を説明する。１はそれぞれ同じ硬さの硬質ウレタンなどの材質、２はこのマットレスの特徴である肩を下にした際、肩が入り込むスペースである凹部、３は折りたたむ際の折り曲げ部、４は凹部で空洞の底辺はカバー材だけとなっていることを示す、５は頭部枕。
【００１１】  本考案の実施例は上述の如き構成からなるものであるから、肩の疾患への効用以外にも快眠効果上としても効用がある。
【符号の説明】
【００１２】  １  硬質クッション材
２  空洞凹部
３  折り曲げ部
４  マットレスカバー材
５  頭部枕
【図１】
0003207242.tif 000003
【図２】
0003207242.tif 000004